(57)【要約】【課題】フィルムのスペースに無駄が発生しないように医用画像を印刷するための処理を行うことが可能な画像処理装置を提供する。【解決手段】フィルム印刷装置２０Ａ等にセットされているフィルムのコマ数を、印刷設定情報記憶部３に予め記憶させておく。画像処理部６は、ボリュームデータに対してＭＰＲ処理を施す際に、指定されたＭＰＲ処理の対象範囲を上記コマ数分に等間隔に分割して、上記コマ数分のＭＰＲ画像データを生成する。ＭＰＲ画像データはフィルム印刷装置２０Ａ等に出力されてフィルムに印刷される。【選択図】図１
2007105141.tif 000002
【特許請求の範囲】
【請求項１】
フィルムに医用画像を印刷するフィルム印刷装置に設定されている、前記フィルム１枚に印刷可能なコマ数を取得する取得手段と、
前記取得したコマ数を記憶する記憶手段と、
医用画像診断装置にて収集されたボリュームデータの範囲の指定を受け付けて、前記指定された範囲においてＭＰＲ処理を行って前記記憶手段に記憶されているコマ数の分、ＭＰＲ画像データを生成する画像処理手段と、
を有することを特徴とする画像処理装置。
【請求項２】
前記画像処理手段は、前記指定された範囲内において等間隔でＭＰＲ処理を行って前記コマ数分のＭＰＲ画像データを生成することを特徴とする請求項１に記載の画像処理装置。
【請求項３】
前記取得手段は、複数のフィルムについて各フィルム１枚に印刷可能なコマ数を取得し、
前記記憶手段は、前記取得した各フィルム１枚に印刷可能なコマ数を記憶し、
前記画像処理手段は、前記ボリュームデータの範囲及び前記フィルムの指定を受け付けて、前記指定された範囲においてＭＰＲ処理を行って、前記指定されたフィルムのコマ数分、ＭＰＲ画像データを生成することを特徴とする請求項１又は請求項２のいずれかに記載の画像処理装置。
【請求項４】
前記画像処理手段は、前記ボリュームデータの範囲及び複数のフィルムの指定を受け付けて、前記指定された範囲においてＭＰＲ処理を行って、前記指定された複数のフィルムのコマ数の合計分、ＭＰＲ画像データを生成することを特徴とする請求項３に記載の画像処理装置。
【請求項５】
前記取得手段は、複数のフィルム印刷装置についてフィルムに印刷可能なコマ数を取得し、
前記記憶手段は、前記取得した複数のフィルム印刷装置についてフィルムに印刷可能なコマ数を記憶し、
前記画像処理手段は、前記フィルム印刷装置及び前記ボリュームデータの範囲の指定を受け付けて、前記指定された範囲においてＭＰＲ処理を行って前記記憶手段に記憶されているコマ数の分、ＭＰＲ画像データを生成することを特徴とする請求項１又は請求項２のいずれかに記載の画像処理装置。
【請求項６】
前記指定されたフィルム印刷装置に前記ＭＰＲ画像データを送信する送信手段を更に有することを特徴とする請求項５に記載の画像処理装置。
【請求項７】
コンピュータに、
フィルムに医用画像を印刷するフィルム印刷装置に設定されている、前記フィルム１枚に印刷可能なコマ数を取得して記憶手段に記憶させる取得機能と、
医用画像診断装置にて収集されたボリュームデータの範囲の指定を受け付ける機能と、
前記指定された範囲においてＭＰＲ処理を行って前記記憶手段に記憶されているコマ数の分、ＭＰＲ画像データを生成する画像処理機能と、
を実行させることを特徴とする画像処理プログラム。
【請求項８】
フィルム１枚に印刷可能なコマ数が設定され、前記フィルムに対して医用画像を印刷するフィルム印刷装置と、画像処理装置とを備えた医用画像印刷システムであって、
前記画像処理装置は、
前記フィルム印刷装置に設定されているコマ数を前記フィルム印刷装置から取得する取得手段と、
前記取得したコマ数を記憶する記憶手段と、
医用画像診断装置にて収集されたボリュームデータの範囲の指定を受け付けて、前記指定された範囲においてＭＰＲ処理を行って前記記憶手段に記憶されているコマ数の分、ＭＰＲ画像データを生成する画像処理手段と、
前記ＭＰＲ画像データを前記フィルム印刷装置に送信する送信手段と、
を備え、
前記フィルム印刷装置は、前記ＭＰＲ画像データを前記フィルムに印刷することを特徴とする医用画像印刷システム。
【発明の詳細な説明】
【技術分野】
【０００１】
この発明は、ＭＲＩ装置やＸ線ＣＴ装置などの医用画像診断装置で収集される医用画像データをフィルムに印刷するための処理を行う画像処理装置、画像処理プログラム及び医用画像印刷システムに関する。
【背景技術】
【０００２】
ＭＲＩ装置やＸ線ＣＴ装置などの医用画像診断装置にて収集された医用画像データは、医用画像用レーザープリンタなどのフィルム印刷装置（一般的に、「イメージャ」と称されることがある）によってフィルムに印刷され、診断に用いられる（例えば特許文献１）。
【０００３】
上記フィルム印刷装置には医用画像が印刷されるフィルムがセットされ、医用画像診断装置から送られる医用画像データを受けて、セットされているフィルムに医用画像を印刷する。診断部位などによってフィルムの大きさを変えて印刷することがあるため、フィルム印刷装置には大きさが異なる複数種類のフィルムがセットされている。
【０００４】
さらに、フィルム印刷装置には印刷条件として、１枚のフィルムに対して印刷される医用画像の数（コマ数）が設定されている。１枚のフィルムのコマ数は、診断部位によって慣習的に決定されることがある。例えば、頭部の画像をフィルムに印刷する場合にはコマ数を「１６」に設定したり、腹部の画像をフィルムに印刷する場合にはコマ数を「２０」に設定したりすることが行われている。コマ数が「１６」に設定されると、フィルム印刷装置は１枚のフィルムに１６枚分の画像を印刷することになり、コマ数が「２０」に設定されると、フィルム印刷装置は１枚のフィルムに２０枚分の画像を印刷することになる。
【０００５】
一方、医用画像診断装置にて医用画像データを収集し、３次元のボリュームデータに対してＭＰＲ処理（Ｍｕｌｔｉ  Ｐｌａｎｎａｒ  Ｒｅｃｏｎｓｔｒｕｃｔｉｏｎ）を行って任意断面のＭＰＲ画像データを生成する場合がある。このＭＰＲ画像データをフィルム印刷装置によってフィルムに印刷し、そのフィルムを観察することで診断が行われる。例えば、頭部や腹部などの任意断面の画像データを生成して、フィルムに印刷することで頭部や腹部などの診断が行われる。
【０００６】
このＭＰＲ処理を行う場合、検査技師などの操作者はボリュームデータに対してＭＰＲ処理を行う範囲を指定し、さらに作成すべきＭＰＲ画像の枚数を指定する。例えば、頭部や腹部のどの範囲について、何枚分のＭＰＲ画像を作成すべきなのかを指定する。ＭＰＲ処理を行う画像処理装置は、ＭＰＲ処理を行う範囲及び枚数の指定を受け付けると、指定された範囲内において、指定された枚数分のＭＰＲ画像データを生成する。
【０００７】
そして、画像処理装置で生成されたＭＰＲ画像データはフィルム印刷装置に送信され、フィルム印刷装置によってフィルムに印刷される。フィルム印刷装置には、１枚のフィルムに印刷されるコマ数が印刷条件として設定されているため、そのコマ数に従ってフィルムにＭＰＲ画像が印刷される。
【０００８】
【特許文献１】特開２００１−２９２２９５号公報
【発明の開示】
【発明が解決しようとする課題】
【０００９】
しかしながら、画像処理装置にてＭＰＲ処理の操作を行う検査技師などの操作者は、フィルム印刷装置にセットされているフィルムの種類やコマ数などの設定条件を意識せずにＭＰＲ画像データの生成枚数を指定している。そのため、フィルム印刷装置にてコマ数が「２０」に設定されている場合であっても、ＭＰＲ処理によってコマ数にして１６枚分しかＭＰＲ画像データを生成しなかった場合は、本来、２０枚分の画像が印刷可能なフィルムに１６枚分の画像しか印刷されず、画像４枚分のスペースが無駄になってしまう。
【００１０】
診断では大量のフィルムが使用されるため、フィルムに無駄なスペースが発生すると、その分、トータルのフィルムのコストが高くなってしまう問題がある。従って、フィルムのスペースになるべく無駄が発生しないように画像を印刷することができる技術が望まれている。
【００１１】
この発明は上記の問題を解決するものであり、フィルム印刷装置で印刷されるフィルムのスペースに無駄が発生しないように医用画像を印刷するための処理を行うことが可能な画像処理装置、画像処理プログラム及び医用画像印刷システムを提供することを目的とする。
【課題を解決するための手段】
【００１２】
請求項１に記載の発明は、フィルムに医用画像を印刷するフィルム印刷装置に設定されている、前記フィルム１枚に印刷可能なコマ数を取得する取得手段と、前記取得したコマ数を記憶する記憶手段と、医用画像診断装置にて収集されたボリュームデータの範囲の指定を受け付けて、前記指定された範囲においてＭＰＲ処理を行って前記記憶手段に記憶されているコマ数の分、ＭＰＲ画像データを生成する画像処理手段と、を有することを特徴とする画像処理装置である。
【００１３】
請求項２に記載の発明は、請求項１に記載の画像処理装置であって、前記画像処理手段は、前記指定された範囲内において等間隔でＭＰＲ処理を行って前記コマ数分のＭＰＲ画像データを生成することを特徴とするものである。
【００１４】
請求項３に記載の発明は、請求項１又は請求項２にいずれかに記載の画像処理装置であって、前記取得手段は、複数のフィルムについて各フィルム１枚に印刷可能なコマ数を取得し、前記記憶手段は、前記取得した各フィルム１枚に印刷可能なコマ数を記憶し、前記画像処理手段は、前記ボリュームデータの範囲及び前記フィルムの指定を受け付けて、前記指定された範囲においてＭＰＲ処理を行って、前記指定されたフィルムのコマ数分、ＭＰＲ画像データを生成することを特徴とするものである。
【００１５】
請求項４に記載の発明は、請求項３に記載の画像処理装置であって、前記画像処理手段は、前記ボリュームデータの範囲及び複数のフィルムの指定を受け付けて、前記指定された範囲においてＭＰＲ処理を行って、前記指定された複数のフィルムのコマ数の合計分、ＭＰＲ画像データを生成することを特徴とするものである。
【００１６】
請求項５に記載の発明は、請求項１又は請求項２のいずれかに記載の画像処理装置であって、前記取得手段は、複数のフィルム印刷装置についてフィルムに印刷可能なコマ数を取得し、前記記憶手段は、前記取得した複数のフィルム印刷装置についてフィルムに印刷可能なコマ数を記憶し、前記画像処理手段は、前記フィルム印刷装置及び前記ボリュームデータの範囲の指定を受け付けて、前記指定された範囲においてＭＰＲ処理を行って前記記憶手段に記憶されているコマ数の分、ＭＰＲ画像データを生成することを特徴とするものである。
【００１７】
請求項６に記載の発明は、請求項５に記載の画像処理装置であって、前記指定されたフィルム印刷装置に前記ＭＰＲ画像データを送信する送信手段を更に有することを特徴とするものである。
【００１８】
請求項７に記載の発明は、コンピュータに、フィルムに医用画像を印刷するフィルム印刷装置に設定されている、前記フィルム１枚に印刷可能なコマ数を取得して記憶手段に記憶させる取得機能と、医用画像診断装置にて収集されたボリュームデータの範囲の指定を受け付ける機能と、前記指定された範囲においてＭＰＲ処理を行って前記記憶手段に記憶されているコマ数の分、ＭＰＲ画像データを生成する画像処理機能と、を実行させることを特徴とする画像処理プログラムである。
【００１９】
請求項８に記載の発明は、フィルム１枚に印刷可能なコマ数が設定され、前記フィルムに対して医用画像を印刷するフィルム印刷装置と、画像処理装置とを備えた医用画像印刷システムであって、前記画像処理装置は、前記フィルム印刷装置に設定されているコマ数を前記フィルム印刷装置から取得する取得手段と、前記取得したコマ数を記憶する記憶手段と、医用画像診断装置にて収集されたボリュームデータの範囲の指定を受け付けて、前記指定された範囲においてＭＰＲ処理を行って前記記憶手段に記憶されているコマ数の分、ＭＰＲ画像データを生成する画像処理手段と、前記ＭＰＲ画像データを前記フィルム印刷装置に送信する送信手段と、を備え、前記フィルム印刷装置は、前記ＭＰＲ画像データを前記フィルムに印刷することを特徴とする医用画像印刷システムである。
【発明の効果】
【００２０】
この発明によると、フィルムに無駄なスペースを発生させずに医用画像を印刷することが可能となる。
【発明を実施するための最良の形態】
【００２１】
この発明の実施形態に係る医用画像印刷システムの構成について図１を参照して説明する。図１は、この発明の実施形態に係る医用画像印刷システムの構成を示すブロック図である。
【００２２】
医用画像印刷システム１は、画像処理装置２、フィルム印刷装置２０Ａ、２０Ｂ、・・・、及び印刷管理サーバ２１を備えて構成され、それらはネットワークを介して接続されている。図１にはフィルム印刷装置２０Ａ、２０Ｂが図示されているが、３台以上のフィルム印刷装置が設置されていても良く、１台のフィルム印刷装置２０Ａのみが設置されていても良い。画像処理装置２にて画像処理された医用画像データは、印刷管理サーバ２１を介してフィルム印刷装置２０Ａ（２０Ｂ）に送信され、フィルム印刷装置２０Ａ（２０Ｂ）は受信した医用画像データをフィルムに印刷する。また、画像処理装置２にはＸ線ＣＴ装置やＭＲＩ装置などの既知の医用画像診断装置３０が接続され接続されている。なお、画像処理装置２が医用画像診断装置３０内に含まれていても良い。
【００２３】
フィルム印刷装置２０Ａ（２０Ｂ）は、医用画像用レーザープリンタなどの既知のフィルム印刷装置である。フィルム印刷装置２０Ａ（２０Ｂ）にはフィルムがセットされ、さらに印刷条件として、１枚のフィルムに印刷する画像数（コマ数）が設定されている。また、複数のフィルムがセットされている場合は、各フィルムのコマ数が印刷条件として設定されている。
【００２４】
ここでは、大きさが異なる４種類のフィルムＡ、Ｂ、Ｃ及びＤがセットされているものとする。この場合、各フィルムＡ、Ｂ、Ｃ及びＤのコマ数が印刷条件としてフィルム印刷装置２０Ａ（２０Ｂ）に設定されている。例えば、フィルムＡのコマ数を「１６」、フィルムＢのコマ数を「２０」、フィルムＣのコマ数を「４」、フィルムＤのコマ数を「８」として、フィルム印刷装置２０Ａ（２０Ｂ）に設定されているものとする。
【００２５】
また、上記コマ数は、慣習的に診断部位に依存して決定されることがある。例えば、頭部の診断には１枚のフィルムに１６枚分の画像を印刷したフィルムが使用されたり、腹部の診断には１枚のフィルムに２０枚分の画像を印刷したフィルムが使用されたりする。
【００２６】
画像処理装置２内の印刷設定情報記憶部３には、フィルム印刷装置２０Ａ（２０Ｂ）にセットされているフィルムを特定するためのフィルム識別情報と各フィルムのコマ数とが対応付けられて記憶されている。この場合、フィルム識別情報及びフィルムのコマ数が印刷設定情報となる。
【００２７】
また、複数のフィルム印刷装置が接続されている場合、印刷設定情報記憶部３には、各フィルム印刷装置についての印刷設定情報が記憶されている。例えば、フィルム印刷装置を特定するための装置識別情報（製造番号など）、各フィルム印刷装置にセットされているフィルムを特定するためのフィルム識別情報、及び各フィルムのコマ数が対応付けられて印刷設定情報記憶部３に記憶されている。この場合、装置識別情報、フィルム識別情報、及びフィルムのコマ数が印刷設定情報となる。
【００２８】
ここで、印刷設定情報記憶部３に記憶されている印刷設定情報の具体例について図２を参照して説明する。ここでは、複数のフィルム印刷装置が接続されている場合について説明する。図２に示すように、フィルム印刷装置を特定するための装置識別情報、フィルムを特定するためのフィルム識別情報、及びフィルムのコマ数が対応付けられたテーブル（印刷設定情報）が印刷設定情報記憶部３に記憶されている。このテーブル（印刷設定情報）は、印刷設定情報記憶部３に予め記憶されている。
【００２９】
図２に示すテーブルには１例として、フィルム印刷装置２０Ａ、２０Ｂの印刷設定情報が含まれている。フィルム印刷装置２０Ａ、２０Ｂともに、４種類のフィルムＡ、Ｂ、Ｃ及びＤがセットされているため、装置識別情報（例えば、２０Ａ、２０Ｂ）に、各フィルムを特定するためのフィルム識別情報（例えば、Ａ、Ｂ、Ｃ、Ｄ）が対応付けられ、さらに、各フィルムのコマ数（例えば、１６、２０、４、８）が対応付けられている。
【００３０】
また、上述したように、フィルムのコマ数は診断部位に依存して決定されることがあるため、診断部位、フィルム識別情報、及びコマ数を対応付けたテーブルを作成しておき、そのテーブルを印刷設定情報記憶部３に予め記憶させておいても良い。例えば、フィルムＡを頭部診断用とし、フィルムＢを腹部診断用として、診断部位とフィルム識別情報などとを対応付けておけば良い。
【００３１】
画像データ記憶部４には、医用画像診断装置３０にて収集された医用画像データが記憶されている。例えば、医用画像診断装置３０としてＸ線ＣＴ装置を用いた場合、スキャンを行なって得られた断層像データやボリュームデータなどの医用画像データが、医用画像診断装置３０から画像処理装置２に送信され、画像データ記憶部４に保存される。
【００３２】
また、医用画像診断装置３０によって医用画像データが収集された際に、医用画像データには、患者ＩＤや診断部位などの画像データ識別情報が付されて画像データ記憶部４に記憶される。従って、患者ＩＤや診断部位などを検索キーとして用いることで、画像データ記憶部４内の医用画像データを取得することができる。
【００３３】
印刷設定情報取得部５は、印刷設定情報記憶部３に記憶されている印刷設定情報（コマ数やフィルム識別情報など）を取得して画像処理部６に送る。例えば、入力装置７にてフィルムの種類が指定されると、印刷設定情報取得部５は指定されたフィルムに対応するコマ数の情報を取得して画像処理部６に送る。また、フィルム印刷装置とフィルムの種類が指定されると、印刷設定情報取得部５は、指定されたフィルム印刷装置及びフィルムに対応するコマ数の情報を取得して画像処理部６に送る。さらに、診断部位とフィルムの種類とが対応付けられている場合は、診断部位が指定されると、印刷設定情報取得部５は、指定された診断部位に対応するフィルムを特定し、そのフィルムのコマ数を取得して画像処理部６に送る。
【００３４】
例えば、入力装置７にてフィルム印刷装置２０Ａが指定され、更にフィルムＡが指定されると、印刷設定情報取得部５は、指定された装置識別情報及びフィルム識別情報を検索キーとして、印刷設定情報記憶部３のテーブルを参照して、フィルム印刷装置２０Ａ及びフィルムＡに対応付けされているコマ数（「１６」）の情報を取得し、そのコマ数の情報を画像処理部６に送る。
【００３５】
また、診断部位とフィルム識別情報とが対応付けられている場合は、入力部７にて診断部位を入力することで、印刷設定情報取得部５はその診断部位と対応付けられているフィルムのコマ数の情報を取得し、画像処理部６に送るようにしても良い。
【００３６】
画像処理部６は、画像データ記憶部４からボリュームデータを取得し、さらに印刷設定情報記憶部５から送られたコマ数の情報を受け、そのボリュームデータに対して画像処理を施す。この実施形態では、画像処理部６はボリュームデータに対してＭＰＲ処理を施して、任意断面の画像データを生成する。
【００３７】
ＭＰＲ処理を行うボリュームデータの範囲（ＭＰＲ処理の対象範囲）は、入力部７を用いて操作者によって指定される。具体的には、操作者は、開始位置と終了位置とを指定することで、ＭＰＲ処理を行うボリュームデータの範囲が指定される。画像処理部６は、操作者によって指定された範囲内においてボリュームデータに対してＭＰＲ処理を施し、印刷設定情報取得部５から送られたコマ数分のＭＰＲ画像データを生成する。このとき、画像処理部６は、ＭＰＲ処理の対象範囲を等間隔に上記コマ数分に分割してＭＰＲ処理を施し、コマ数分のＭＰＲ画像データを生成する。
【００３８】
ここで、ＭＰＲ処理を行うボリュームデータの範囲について図３を参照して説明する。図３は、ＭＰＲ処理を行うボリュームデータの範囲を説明するための模式図である。例えば、ボリュームデータ４０において、開始位置Ｓと終了位置Ｅとに挟まれた範囲がＭＰＲ処理の対象範囲である。画像処理部６は画像データ記憶部４からボリュームデータ４０を読み込み、そのＭＰＲ処理の対象範囲を等間隔に上記コマ数分に分割してＭＰＲ処理を施し、コマ数分のＭＰＲ画像データを生成する。
【００３９】
また、画像処理部６にて生成されたＭＰＲ画像を表示部９に表示させても良い。この場合、画像処理部６は生成したＭＰＲ画像データを表示制御部８に出力し、表示制御部８はＭＰＲ画像データに基づく画像を表示部９に表示させる。これにより、操作者はＭＰＲ画像の確認を行うことができる。
【００４０】
また、ＭＰＲ処理を行うボリュームデータの範囲を指定しやすいように、画像処理部６がボリュームデータに対してＭＰＲ処理を行ってアキシャル像データ、コロナル像データ、及びサジタル像データを生成し、これらの画像を表示部９に表示させても良い。ここで、アキシャル像等の表示例について図４を参照して説明する。図４は、ＭＰＲ処理の範囲を指定する際に表示部に表示される画面の１例を示す図である。同図に示すように、表示部９のモニタ画面９ａ上には、アキシャル像、コロナル像、及びサジタル像が表示される。操作者はそれらの画像を観察することで、ＭＰＲ処理の範囲を指定する。
【００４１】
例えば、表示制御部８は、ＭＰＲ処理の開始位置Ｓと終了位置Ｅとを指定するために、マーカとしての開始位置指定線Ｓ及び終了位置指定線Ｅを、サジタル像に重ねて表示部９に表示させる。重ねる画像はサジタル像に限らず、コロナル像であってもアキシャル像であっても構わない。開始位置指定線Ｓ及び終了位置指定線Ｅは、入力部７を用いてモニタ画面９ａ上で矢印Ａの方向に移動可能となっている。そして、開始位置指定線Ｓと終了位置指定線Ｅとによって挟まれた範囲がＭＰＲ処理の対象範囲となる。なお、マウスなどの入力部７を用いて指定線選択ボタンＳを押下すると、開始位置指定線Ｓを移動させることが可能となり、指定線選択ボタンＥを押下すると、終了位置指定線Ｅを移動させることが可能となる。
【００４２】
以上のようにモニタ画面９ａ上で開始位置と終了位置とが指定されると、ボリュームデータにおける開始位置Ｓ及び終了位置Ｅの座標情報が画像処理部６に出力される。画像処理部６はその座標情報を受けると、ボリュームデータ４０において開始位置Ｓと終了位置Ｅとによって挟まれた範囲内についてＭＰＲ処理を行い、印刷設定情報取得部５から送られたコマ数の情報に従って、コマ数分のＭＰＲ画像データを生成する。
【００４３】
さらに、図４に示すように、生成されたＭＰＲ画像を表示部９に表示させても良い。例えば１６枚分のＭＰＲ画像データが生成された場合は、表示制御部８は、１６枚分のＭＰＲ画像データを同時に表示部９のモニタ画面９ａ上に表示させる。この表示により、操作者はＭＰＲ画像を確認することが可能となる。
【００４４】
なお、表示部９にＭＰＲ画像の作成枚数を表示させても良い。この場合、画像処理部６からコマ数の情報が表示制御部８に出力され、表示制御部８は表示部９のモニタ画面９ａ上にそのコマ数を表示させる。図４に示す例においては、コマ数が「１６」であるため、モニタ画面９ａ上には「１６」と表示されている。
【００４５】
また、表示部９に処理内容選択ボタンを表示させ、例えば処理内容選択ボタンＡを押下すると、この実施形態に係る処理を実行するようにし、処理内容選択ボタンＢを押下すると、操作者が任意にＭＰＲ画像の生成枚数を指定できるようにしても良い。
【００４６】
画像処理部６は例えばＣＰＵなどの演算装置からなり、画像処理装置２の記憶装置（図示しない）に記憶されている画像処理プログラムを実行することで、ＭＰＲ処理などの機能を実行する。
【００４７】
入力部７は、画像処理部６にて行われるＭＰＲ処理の範囲を指定するために用いられる。入力部７には、例えばキーボードやマウスなどの一般的な入力装置が用いられ、これによりＭＰＲ処理の開始位置及び終了位置が指定される。
【００４８】
表示制御部８は、画像処理部６にて生成された医用画像データを受けて、表示部９のモニタ画面上に医用画像データに基づく画像を表示させる。表示部９は液晶ディスプレイやＣＲＴなどのモニタであり、医用画像を表示する。
【００４９】
送受信部１０ａ、１０ｂは、ネットワークＩ／Ｆとして機能する。送受信部１０ａは、画像処理部６にて作成されたＭＰＲ画像データを印刷管理サーバ２１に送信する。また、操作者によってフィルムが指定されている場合は、送受信部１０ａは、フィルムを特定するためのフィルム識別情報を印刷管理サーバ２１に送信し、フィルム印刷装置が指定されている場合は、フィルム印刷装置を特定するための装置識別情報を印刷管理サーバ２１に送信する。送受信部１０ｂは、医用画像診断装置３０から送信された医用画像データを受信して画像データ記憶部４に記憶させる。
【００５０】
また、送受信部１０ａは、印刷管理サーバ２１からフィルム印刷装置２０Ａ、２０Ｂ、・・・の装置識別情報、セットされているフィルムのフィルム識別情報、及び、各フィルムのコマ数の情報を取得する機能を備えている。この場合、送受信部１０ａは、この発明の「取得手段」の１例として機能することになる。送受信部１０ａは、取得した上記の装置識別情報、フィルム印刷情報、及び各フィルムのコマ数の情報を対応付けて、テーブル（印刷設定情報）として印刷設定情報記憶部３に記憶させておく。このようにフィルムのコマ数などを取得しておくことで、画像処理部６にて、フィルム印刷装置２０Ａ、２０Ｂ、・・・にセットされているフィルムのコマ数と一致した数のＭＰＲ画像データを生成することが可能となる。なお、画像処理装置２の記憶装置に記憶されている取得プログラムを実行することで、取得処理の機能を実行することになる。
【００５１】
印刷管理サーバ２１は、フィルム印刷装置２０Ａ、２０Ｂ、・・・を管理し、画像処理装置２から送信された医用画像データを受け、フィルム印刷装置２０Ａなどに医用画像データを送信する。画像処理装置２にてフィルム印刷装置が指定されている場合は、画像処理装置２から装置識別情報も送信されているため、その装置識別情報に従って指定されたフィルム印刷装置に医用画像データを送信する。また、画像処理装置２にてフィルムが指定されている場合は、画像処理装置２からフィルム識別情報が送信されているため、医用画像データとともにそのフィルム識別情報をフィルム印刷装置に送信する。
【００５２】
（作用）
次に、この発明の実施形態に係る医用画像印刷システム１の作用について図５を参照して説明する。図５は、この発明の実施形態に係る医用画像印刷システムの動作を順番に示すフローチャートである。
【００５３】
この実施形態では、医用画像診断装置３０にて医用画像データが予め収集されて、画像処理装置２内の画像データ記憶部４に医用画像データが記憶されている。例えば、Ｘ線ＣＴ装置を用いて複数の断層像データが収集されて、それら断層像データやボリュームデータが画像データ記憶部４に記憶されている。この実施形態では、画像データ記憶部４に記憶されているボリュームデータに対してＭＰＲ処理を施し、フィルムにＭＰＲ画像を印刷する。なお、この実施形態では、頭部を診断部位として説明するが、頭部以外の診断部位であっても同じ作用及び効果を奏する。
【００５４】
（ステップＳ０１）
まず、ステップＳ０１では、画像処理部６が画像データ記憶部４に記憶されているボリュームデータを読み込む。例えば、操作者は、入力部７を用いて患者ＩＤや診断部位などの画像データ識別情報を入力する。画像処理部６は、その画像データ識別情報を検索キーとして、画像データ記憶部４に記憶されているボリュームデータを取得する。
【００５５】
（ステップＳ０２）
次に、ステップＳ０２では、画像処理部６がボリュームデータに対してＭＰＲ処理を施してアキシャル像データ、コロナル像データ、及びサジタル像データを生成し、表示制御部８に出力する。表示制御部８はアキシャル像データなどを受けると、図４に示すように、表示部９のモニタ画面９ａ上にアキシャル像などの医用画像を表示させる。いわゆる３画面表示となる。
【００５６】
（ステップＳ０３）
次に、ステップＳ０３では、操作者は表示部９のモニタ画面９ａ上に表示されているアキシャル像などを観察し、モニタ画面９ａ上でＭＰＲ画像を生成するボリュームデータの範囲を指定する。このとき、入力部７を用いて開始位置と終了位置とを指定する。例えば、図４に示すように、開始位置指定線Ｓ及び終了位置指定線Ｅを矢印Ａ方向に移動させてＭＰＲ処理の対象範囲を指定する。ＭＰＲ処理の対象範囲が指定されると、ボリュームデータ４０におけるＭＰＲ処理の開始位置Ｓと終了位置Ｅの座標情報が画像処理部６に出力される。
【００５７】
（ステップＳ０４）
次に、ステップＳ０４では、印刷設定情報取得部５が印刷設定情報記憶部３に記憶されているコマ数の情報を取得し、そのコマ数の情報を画像処理部６に出力する。複数のフィルムの設定情報が記憶されている場合は、操作者は入力部７を用いて所望のフィルムを指定する。例えば、フィルム識別情報の一覧表を予め作成しておき、表示制御部８がその一覧表を表示部９のモニタ画面９ａ上に表示させる。操作者はその一覧表を見て、その中から所望のフィルムを選択する。操作者によってフィルムが選択されると、印刷設定情報取得部５は、フィルム識別情報を検索キーとして印刷設定情報記憶部３に記憶されているテーブルを参照し、選択されたフィルムに対応するコマ数の情報を取得し、そのコマ数の情報を画像処理部６に出力する。
【００５８】
例えば、操作者によってフィルムＡが選択された場合、印刷設定情報取得部５はフィルムＡのフィルム識別情報を検索キーとして印刷設定情報記憶部３のテーブルを参照し、フィルムＡに対応するコマ数（「１６」）を取得し、そのコマ数（「１６」）を画像処理部６に出力する。フィルムＢ、Ｃ、又はＤが選択された場合も、同様に印刷設定情報取得部５からコマ数が取得されて画像処理部６に出力される。
【００５９】
また、診断部位とフィルムのコマ数とが対応付けられている場合は、診断部位によってフィルム及びコマ数を特定するようにしても良い。例えば、入力部７にて診断部位「頭部」を示す情報が入力された場合は、印刷設定情報取得部５はその診断部位「頭部」を示す情報を検索キーとして、印刷設定情報記憶部３に記憶されているテーブルを参照し、診断部位「頭部」に対応するフィルムのコマ数の情報を取得する。
【００６０】
また、複数のフィルム印刷装置２０Ａ、２０Ｂ、・・・が接続されている場合は、操作者は入力部７を用いて所望のフィルム印刷装置を指定する。例えば、装置識別情報の一覧表を予め作成しておき、表示制御部８がその一覧表を表示部９のモニタ画面９ａ上に表示させる。操作者はその一覧表を見て、その中から所望のフィルム印刷装置を選択する。なお、複数のフィルムの設定情報が記憶されている場合は、フィルムも選択する。操作者によってフィルム印刷装置及びフィルムが選択されると、印刷設定情報取得部５は、装置識別情報とフィルム識別情報とを検索キーとして印刷設定情報記憶部３に記憶されているテーブルを参照し、選択されたフィルム印刷装置及びフィルムに対応付けられているコマ数の情報を取得し、そのコマ数の情報を画像処理部６に出力する。
【００６１】
例えば、操作者によってフィルム印刷装置２０Ａ及びフィルムＡが選択された場合は、印刷設定情報記憶部５はフィルム印刷装置２０Ａの装置識別情報とフィルムＡのフィルム識別情報とを検索キーとして印刷設定情報記憶部３のテーブルを参照し、フィルム印刷装置Ａ及びフィルムＡに対応付けられているコマ数（「１６」）を取得し、そのコマ数（「１６」）を画像処理部６に出力する。
【００６２】
なお、印刷設定情報記憶部３に記憶されている各フィルムのコマ数は、送受信部１０ａによってフィルム印刷装置２０Ａ、２０Ｂ、・・・から取得された情報である。送受信部１０ａは、フィルム印刷装置２０Ａ、２０Ｂ、・・・にセットされている各フィルムのコマ数を取得し、フィルム印刷装置２０Ａ、２０Ｂ、・・・の装置識別情報、フィルムを特定するフィルム識別情報、及びコマ数を対応付けて、印刷設定情報（テーブル）として印刷設定情報記憶部３に記憶させる。
【００６３】
（ステップＳ０５）
次に、ステップＳ０５では、画像処理部６はボリュームデータに対してＭＰＲ処理を施す。このとき、ステップＳ０３において指定されたＭＰＲ処理の対象範囲に対してＭＰＲ処理を施し、さらに、ステップＳ０４にて取得したコマ数分のＭＰＲ画像データを生成する。このとき、画像処理部６は、指定されたＭＰＲ処理の対象範囲について、等間隔で上記コマ数分のＭＰＲ画像データを生成する。
【００６４】
例えば、フィルム印刷装置２０ＡのフィルムＡが指定されると、それらに対応付けられているコマ数（１６枚）が取得されて画像処理部６に出力される。画像処理部６は、ボリュームデータの指定された範囲内を等間隔に１６分割し、等間隔にＭＰＲ画像データを生成する。また、フィルムＢが指定された場合も同様に、コマ数（２０枚）が画像処理部６に出力され、画像処理部６は、ボリュームデータの指定された範囲内を等間隔に２０分割してＭＰＲ画像データを生成する。
【００６５】
なお、１つのフィルム印刷装置のみが接続され、フィルムも１種類のみがセットされている場合は、印刷設定情報記憶部３にはそのフィルムに設定されているコマ数のみが記憶されている。この場合、操作者はフィルム印刷装置及びフィルムの種類を指定する必要がなく、自動的にコマ数が決定され、印刷設定情報記憶部３に記憶されているコマ数が画像処理部６に出力され、そのコマ数の分、ＭＰＲ画像データが生成される。
【００６６】
（ステップＳ０６）
次に、ステップＳ０６では、送受信部１０ａは画像処理部６からＭＰＲ画像データを受けて、ネットワークを介して印刷管理サーバ２１にＭＰＲ画像データを送信する。複数のフィルム印刷装置２０Ａ（２０Ｂ）が接続されている場合は、送受信部１０ａは、操作者によって指定されたフィルム印刷装置の装置識別情報を印刷管理サーバ２１に送信する。さらに、複数のフィルムがセットされている場合は、操作者によって指定されたフィルムのフィルム識別情報を印刷管理サーバ２１に送信する。印刷管理サーバ２１は、装置識別情報に従って、ＭＰＲ画像データとフィルム識別情報とを、フィルム印刷装置２０Ａ（２０Ｂ）に送信する。
【００６７】
例えば、フィルム印刷装置２０ＡとフィルムＡとが選択されて１６枚分のＭＰＲ画像データが生成された場合は、送受信部１０ａは、１６枚分のＭＰＲ画像データを印刷管理サーバ２１に送信する。このとき送受信部１０ａは、ＭＰＲ画像データとともに、フィルム印刷装置２０Ａの装置識別情報とフィルムＡのフィルム識別情報とを印刷管理サーバ２１に送信する。そして、印刷管理サーバ２１は、印刷識別情報に従って、１６枚分のＭＰＲ画像データとフィルムＡのフィルム識別情報とを、フィルム印刷装置２０Ａに送信する。
【００６８】
（ステップＳ０７）
次に、ステップＳ０７では、ＭＰＲ画像データを受信したフィルム印刷装置２０Ａ（２０Ｂ）は、セットされているフィルムに対してＭＰＲ画像を印刷する。フィルム印刷装置２０Ａ（２０Ｂ）には、ＭＰＲ画像データとともにフィルム識別情報も送信されるため、フィルム印刷装置２０Ａ（２０Ｂ）はそのフィルム識別情報に従って指定されたフィルムにＭＰＲ画像を印刷する。例えば、フィルム印刷装置２０Ａが指定され、更にフィルムＡが指定されていた場合は、画像処理部６にて１６枚分のＭＰＲ画像データが作成され、フィルム印刷装置２０Ａには１６枚分のＭＰＲ画像データとフィルムＡのフィルム識別情報とが送信される。フィルム印刷装置２０Ａは、フィルム識別情報に従って、フィルムＡに１６枚のＭＰＲ画像を印刷する。フィルム印刷装置２０Ａにおいては、フィルムＡにはコマ数が１６枚に設定されているため、画像処理装置２にて作成されたＭＰＲ画像の数と一致し、無駄なスペースを発生させずにＭＰＲ画像をフィルムに印刷することができる。
【００６９】
以上の処理を行うことにより、フィルム印刷装置２０Ａ（２０Ｂ）にて印刷されるフィルムに無駄なスペースを発生させずにＭＰＲ画像を印刷することが可能となる。
【００７０】
（変形例）
また、複数のフィルムに亘ってＭＰＲ画像を印刷しても良い。この場合、操作者は入力部７を用いてフィルムの枚数を指定する。例えば、２枚のフィルムＡに亘って画像を印刷する場合、フィルムＡを指定するとともに、フィルムの枚数である２枚も入力する。これにより、画像処理部６はコマ数の合計を求める。例えば、２枚のフィルムのコマ数を加算してトータルのコマ数を求める。
【００７１】
そして画像処理部６は、上記ステップＳ０３において指定されたＭＰＲ処理の対象範囲についてＭＰＲ処理を行って、そのトータルのコマ数分のＭＰＲ画像データを作成する。例えば、２枚のフィルムＡに亘ってＭＰＲ画像を印刷する場合、フィルムＡのコマ数は「１６」であるため、画像処理部６は３２枚分のＭＰＲ画像データを生成する。
【００７２】
画像処理部６にて生成されたＭＰＲ画像データは印刷管理サーバ２１に送信され、指定されたフィルム印刷装置２０Ａ（２０Ｂ）に送信される。指定されたフィルム印刷装置２０Ａ（２０Ｂ）は、指定されたフィルムＡにＭＰＲ画像を印刷する。このとき、３２枚分の画像データが送信されているため、２枚のフィルムＡに亘って３２枚分のＭＰＲ画像を印刷する。
【００７３】
以上のように、複数のフィルムに亘って画像を印刷する場合であっても、フィルムに無駄なスペースを発生させることなく画像を印刷することが可能となる。
【図面の簡単な説明】
【００７４】
【図１】この発明の実施形態に係る医用画像印刷システムの構成を示すブロック図である。
【図２】印刷設定情報を示す図である。
【図３】ＭＰＲ処理を行うボリュームデータの範囲を説明するための模式図である。
【図４】ＭＰＲ処理の範囲を指定する際に表示部に表示される画面の１例を示す図である。
【図５】この発明の実施形態に係る医用画像印刷システムの動作を順番に示すフローチャートである。
【符号の説明】
【００７５】
１  医用画像印刷システム
２  画像処理装置
３  印刷設定情報記憶部
４  画像データ記憶部
５  印刷設定情報取得部
６  画像処理部
７  入力部
８  表示制御部
９  表示部
１０ａ、１０ｂ  送受信部
２０Ａ、２０Ｂ  フィルム印刷装置
２１  印刷管理サーバ
３０  医用画像診断装置
【図１】
2007105141.tif 000003
【図２】
2007105141.tif 000004
【図３】
2007105141.tif 000005
【図４】
2007105141.tif 000006
【図５】
2007105141.tif 000007